(57)【要約】【課題】異常が発生した無線中継システムを容易、且つ迅速にリセットできるようにするための技術を提供する。【解決手段】同軸ケーブルに設置したタップオフから出力された信号は、分配器２０１によりケーブルモデム２０２の他にステイタスモニターユニット３０１に受信させる。そのステイタスモニターユニット３０１は、受信した信号中に自己のアドレス信号が存在していた場合に、制御部２０６に出力する信号をアクティブにする。制御部２０６は、その信号がアクティブになると、電源部２１０によるケーブルモデム２０２、及びアクセスポイント２０４への給電を一時的に停止させ、それらをリセットする。【選択図】　　　図３
2004015637.tif 000002
【特許請求の範囲】
【請求項１】
有線で構築されたネットワークと無線装置との間で信号の送受信を中継させるために用いられるシステムであって、
前記ネットワークと前記無線装置との間で信号の送受信を中継する信号中継手段と、
前記ネットワークから所定の信号を受信した場合に、前記信号中継手段のリセットを行うリセット手段と、
を具備することを特徴とする無線中継システム。
【請求項２】
前記所定の信号は予め定められた周波数のキャリア信号である、
ことを特徴とする請求項１記載の無線中継システム。
【請求項３】
前記所定の信号は、前記無線中継システムの全てに特定的に付与するアドレス信号のうち、リセットの対象となる無線中継システムのアドレス信号である、
ことを特徴とする請求項１記載の無線中継システム。
【請求項４】
前記リセット手段は、前記無線中継システムが備える電源をＯＦＦ／ＯＮすることにより、前記無線中継システム内の回路をリセットすることを特徴とする請求項１記載の無線中継システム。
【請求項５】
前記無線中継システムは、予め定められた周波数のキャリア信号を検出するキャリア検出部を備え、前記ネットワークから送信される予め定められた周波数のキャリアを前記キャリア検出部が検出した場合、当該無線中継システム内の電源を所定時間ＯＦＦとし、再度該電源をＯＮとすることにより、当該無線中継システム内の回路をリセットすることを特徴とする請求項１又は２又は４に記載の無線中継システム。
【請求項６】
前記無線中継システムは、特定的に付与されたアドレス信号を検出するアドレス検出部を備え、前記ネットワークから送信されるアドレス信号を前記アドレス検出部が検出した場合、当該無線中継システム内の電源を所定時間ＯＦＦとし、再度該電源をＯＮとすることにより、当該無線中継システム内の回路をリセットすることを特徴とする請求項１又は３又は４に記載の無線中継システム。
【請求項７】
有線で構築されたネットワークと無線装置との間で信号の送受信を中継する無線中継システムを遠隔でリセットするために用いられる方法であって、
所定の信号を受信して前記無線中継システムのリセットを行うリセット手段を前記ネットワークと接続させ、
前記ネットワークを介して前記所定の信号を前記リセット手段に送信することにより、前記無線中継システムを前記リセット手段にリセットさせる、
ことを特徴とする無線中継システムリセット方法。
【発明の詳細な説明】
【０００１】
【発明の属する技術分野】
本発明は、有線で構築されたネットワークと無線装置との間で信号の送受信を中継する無線基地局などの無線中継システムを遠隔でリセットするための技術に関する。
【０００２】
【従来の技術】
近年、情報インフラストラクチャとしてネットワークが急速に発展している。それにより、現在では、情報の発信やその共有化、或いはコミュニケーションなどを行うための手段として欠くことのできない存在となっている。
ネットワークを介して発信する情報は、これまでは文字や静止画などが中心だった。しかし、最近では、通信速度が高速なネットワークが普及してきていることもあって、音声や映像（動画）など、文字や静止画と比較してデータ量が大きいものも対象とするようになっている。
そのネットワークは、これまでは有線で構築されることが多かった。しかし、最近では、有線（ケーブル）のネットワークに無線基地局（中継局（無線中継システム））を接続し、利用者が使用する端末装置（パーソナルコンピュータ（以下、ＰＣ）やＰＤＡ、など）とネットワークの間は無線基地局の中継により無線で信号を送受信するハイブリッドな構成が採用されることが増えている。これは、有線を端末装置と接続する場合に必要な有線の敷設工事が不要となって、その工事にかかる時間や費用を削減できるという利点があるためである。参考技術文献としては、例えば特開２００１−２１８１８７公報が挙げられる。
【０００３】
【発明が解決しようとする課題】
有線と無線を組み合わせた上記ハイブリッドな構成を採用したネットワークでは、無線基地局（無線中継システム）を含むノードの状態を監視することにより、ノードに発生した異常を検出してそれに対応するようになっている。無線中継システム（中継局）で発生した異常の多くは、リセットを行うことで復旧するが、従来の無線中継システムは、そのリセットを手動で行うようになっていた。それにより、無線中継システムに異常が発生すると、復旧作業を行う作業員はそのシステムが設置されている場所に移動しなければならないため、その復旧に時間がかかるという問題点があった。
しかも、無線中継システムは電柱などの高所に設置されることが殆どであり、その高所に登らなければリセットを行えないため、危険性が伴い作業員の負担も大きかった。従って、異常の発生によってネットワークの利用者に与える不利益を軽減する他に、作業員の負担を軽減する意味からも、無線中継システムを容易、且つ迅速にリセットできるようにすることが強く望まれていた。
本発明は、異常が発生した無線中継システムを容易、且つ迅速にリセットできるようにするための技術を提供することを目的とする。
【０００４】
【課題を解決するための手段】
本発明はかかる課題を解決するために、請求項１は、有線で構築されたネットワークと無線装置との間で信号の送受信を中継させるために用いられるシステムであって、前記ネットワークと前記無線装置との間で信号の送受信を中継する信号中継手段と、前記ネットワークから所定の信号を受信した場合に、前記信号中継手段のリセットを行うリセット手段と、を具備することを特徴とする。
請求項２は、前記所定の信号は予め定められた周波数のキャリア信号であることを特徴とする。
請求項３は、前記所定の信号は、前記無線中継システムの全てに特定的に付与するアドレス信号のうち、リセットの対象となる無線中継システムのアドレス信号であることを特徴とする。
請求項４は、前記リセット手段は、前記無線中継システムが備える電源をＯＮ／ＯＦＦすることにより、前記無線中継システム内の回路をリセットすることを特徴とする。
請求項５は、前記無線中継システムは、予め定められた周波数のキャリア信号を検出するキャリア検出部を備え、前記ネットワークから送信される予め定められた周波数のキャリアを前記キャリア検出部が検出した場合、当該無線中継システム内の電源を所定時間ＯＦＦとし、再度該電源をＯＮとすることにより、当該無線中継システム内の回路をリセットすることを特徴とする。
請求項６は、前記無線中継システムは、特定的に付与されたアドレス信号を検出するアドレス検出部を備え、前記ネットワークから送信されるアドレス信号を前記アドレス検出部が検出した場合、当該無線中継システム内の電源を所定時間ＯＦＦとし、再度該電源をＯＮとすることにより、当該無線中継システム内の回路をリセットすることを特徴とする。
【０００５】
請求項７は、有線で構築されたネットワークと無線装置との間で信号の送受信を中継する無線中継システムを遠隔でリセットするために用いられる方法であって、所定の信号を受信して前記無線中継システムのリセットを行うリセット手段を前記ネットワークと接続させ、前記ネットワークを介して前記所定の信号を前記リセット手段に送信することにより、前記無線中継システムを前記リセット手段にリセットさせることを特徴とする。
本発明の無線中継システムは、有線で構築されたネットワークと無線装置との間で信号の送受信を中継させるために用いられることを前提とし、ネットワークと無線装置との間で信号の送受信を中継する信号中継手段と、ネットワークから所定の信号を受信した場合に、信号中継手段のリセットを行うリセット手段と、を具備する。
なお、上記所定の信号は予め定められた周波数の信号である、ことが望ましい。或いはリセットの対象とする無線中継システム宛に送信される信号である、ことが望ましい。
本発明の無線中継システムリセット方法は、有線で構築されたネットワークと無線装置との間で信号の送受信を中継する無線中継システムを遠隔でリセットするために用いられる方法であって、所定の信号を受信して無線中継システムのリセットを行うリセット手段をネットワークと接続させ、ネットワークを介して所定の信号をリセット手段に送信することにより、該無線中継システムを該リセット手段にリセットさせる。
本発明では、所定の信号を受信して無線中継システムのリセットを行うリセット手段をその無線中継システム側に用意し、そのリセット手段を無線中継システムが接続されたネットワークに接続させる。そのようなリセット手段を用意することにより、ネットワークを介して送信する信号により無線中継システムのリセットが遠隔で行えるようになる。その結果、無線中継システムのリセットが容易、且つ迅速に行えることとなる。
【０００６】
【発明の実施の形態】
以下、図面を参照しながら、本発明の実施の形態につき詳細に説明する。
図１は、本実施の形態による無線中継システムを採用したネットワークシステムの構成を示す図である。
そのネットワークシステムは、ケーブルテレビジョン（以下、ＣＡＴＶ）システムを利用してインターネットとの接続サービスを利用者に提供するためのものである。利用者側の機器等は従来と同じであるため、図１にはセンター１００に設置された設備と伝送系１５０のみを示してある。
センター１００の設備は、図１に示すように、ヘッドエンド装置１０１と、伝送系１５０を構成するケーブルモデムの状態を監視するケーブルモデムセンター装置（以降、モデムセンター装置と略記）１０２と、伝送系１５０に伝送するＴＶ信号のレベル調整等を行いヘッドエンド装置１０１に出力するＴＶ系センター装置１０３と、伝送系１５０を構成する増幅器１５４の状態を監視するステイタスモニターセンター装置（以降、モニターセンター装置と略記）１０４と、ヘッドエンド装置１０１に接続された複数の第１光送受信器１０５と、モデムセンター装置１０２とインターネット回線網１１０とを接続するルータ１０６と、を備えた構成となっている。利用者が使用する端末装置は、伝送系１５０、第１光送受信器１０５、ヘッドエンド装置１０１、モデムセンター装置１０２、及びルータ１０６を介してインターネット回線網１１０と接続される。
一方の伝送系１５０は、第１光送受信器１０５に幹線として接続された光ケーブル１５１と、その光ケーブル１５１に接続された第２光送受信器１５２と、その第２光送受信器１５２に幹線として接続された同軸ケーブル１５３と、そのケーブル１５３を流れる信号の増幅を行い、分配線である同軸ケーブル１５５、１５６に出力する増幅器１５４と、同軸ケーブル１５６に設置されたタップオフ１５７と、そのタップオフ１５７と接続された本実施の形態による無線中継システム２００と、を備えて構成されている。
上述したように、ＣＡＴＶシステムはハブ方式を採用したものである。そのシステムに採用された本実施の形態による無線中継システム２００は、利用者が使用する端末装置に搭載、或いはそれと接続された無線装置、或いは、その無線装置を子機とする無線装置と無線で通信を行い、その端末装置を伝送系１５０と無線ＬＡＮで接続する中継局として実現されている。
【０００７】
図２は、本実施の形態による無線中継システム２００の回路構成図である。その図２中の電源部２１０は、例えば無線中継システム２００への給電用にその設置場所に用意されたものである。
そのシステム２００は、図２に示すように、タップオフ１５７から受信した信号を分配する分配器２０１と、その分配器２０１と接続され、利用者が使用する端末装置をインターネット回線網１１０と接続するためのケーブルモデム２０２と、アンテナ２０３を備え、そのモデム２０２と接続された無線ＬＡＮ用のアクセスポイント２０４と、分配器２０１と接続され、予め定めた周波数のキャリアを検出するキャリア検出部２０５と、その検出部２０５が出力する信号に従って、ケーブルモデム２０２、及びアクセスポイント２０４への給電を制御する制御部２０６と、を備えて構成されている。
【０００８】
従来の無線中継システムは、ケーブルモデム２０２にアクセスポイント２０４を接続し、電源部２１０が直接、それらに給電を行う構成である。これに対し、本実施の形態による無線中継システム２００は、ケーブルモデム２０２とタップオフ１５７の間に分配器２０１を配置し、その分配器２０１から出力された信号をキャリア検出部２０５に受信させ、その検出部２０５が出力する信号により、電源部２１０によるケーブルモデム２０２、及びアクセスポイント２０４（中継手段）への給電を制御部２０６に制御させるようになっている。そのようにして、伝送系１５０を介して伝送する信号により、ケーブルモデム２０２、及びアクセスポイント２０４への給電を制御できるようになっている。
ケーブルモデム２０２、及びアクセスポイント２０４への給電を停止し、再度、その給電を開始させることで、それらをリセットさせることができる。そのリセットは、伝送系１５０を介して送信する信号により行えるため、作業員を設置場所に行かせることなく遠隔で行うことができる。それにより、そのリセットは容易、且つ迅速に、作業員を派遣することなく行えるようになっている。
上記キャリア検出部２０５は、例えばバンドパスフィルタと、そのフィルタの出力結果に応じて、制御部２０６に出力する信号をアクティブにする出力回路と、を備えた構成となっている。それにより、分配器２０１から入力した信号中にバンドパスフィルタを通過する周波数成分が存在している場合に、制御部２０６に出力する信号をアクティブにする。バンドパスフィルタを通過する周波数（以降、便宜的にリセット周波数と呼ぶ）は、下り信号の周波数帯域のなかで使用しない周波数に設定している。
その制御部２０６は、キャリア検出部２０５が出力する信号がアクティブになると、ケーブルモデム２０２、及びアクセスポイント２０４への給電を一時的に停止する。それにより、それらのリセットを行う。
ケーブルモデム２０２の状態はモデムセンター装置１０２によって監視されている。リセット周波数の信号を出力する発信器は、ＴＶ系センター装置１０３に搭載、或いは接続されるか、またはヘッドエンド装置１０１に接続されている。センター１００の監視員は、モデムセンター装置１０２で監視するケーブルモデム２０２のなかで正常に動作していないものが発生した場合に、発信器にリセット周波数の信号を出力させる。それにより、ヘッドエンド装置１０１を介して各伝送系１５０にその信号を伝送させて、無線中継システム２００を構成する主要部であるケーブルモデム２０２、及びアクセスポイント２０４をリセットさせる。そのようにして、無線中継システム２００に生じた異常に対応することにより、リセットすることで復旧するシステム２００は復旧させる。復旧したか否かの確認は、モデムセンター装置１０２により行い、リセットにより復旧しなければ、作業員を現地に向かわせて対応させる。
【０００９】
なお、本実施の形態では、無線中継システム２００の主要部をリセットさせるためにリセット周波数の信号を送信して、そのリセット周波数の信号でリセットを行う無線中継システム２００を全てリセットさせるようになっているが、異常が発生した無線中継システム２００を個別にリセットさせるようにしても良い。それは、例えば図３に示すように、ステイタスモニターセンター装置１０４が状態を監視する増幅器１５４などに搭載される状態監視用のステイタスモニターユニット３０１をキャリア検出部２０５と置き換えることで行えるようになる。
その置き換えを行った場合、センター１００側では、異常が発生した無線中継システム２００のステイタスモニターユニット３０１宛に例えばポーリング方式で制御コマンドを送信すれば良い。制御部２０６に出力する信号のアクティブ／イナクティブの切り換えは、例えばゲートスイッチの制御機能を利用して行えば良い。
無線中継システム２００のリセットを行うと、端末装置は一時的に信号の送受信を行えなくなる。このことから、異常が発生していない無線中継システム２００のリセットを行わないようにするほど、言い換えれば、異常が発生した無線中継システム２００だけをリセットできるようにするほど、そのリセットを行うことによる悪影響を回避させられるようになる。
上記リセット周波数については、全伝送系１５０で同じにしても良いが、各伝送系１５０別に設定しても良い。無線中継システム２００を接続する対象については、ＣＡＴＶシステムの伝送系１５０を構成する同軸ケーブルではなく、光ケーブル、ＤＳＬ（Ｄｉｇｉｔａｌ　Ｓｕｂｓｃｒｉｂｅｒ　Ｌｉｎｅ）で通信を行う電話線などであっても良い。
リセットの対象については、無線中継システム２００以外のノードであっても良い。そのリセットを指示するための信号は、無線中継システム２００が接続されたネットワークとは別のネットワークを使用できる場合には、その別のネットワークを利用して送信するようにしても良い。
【００１０】
【発明の効果】
以上説明したように本発明は、所定の信号を受信して無線中継システムのリセットを行うリセット手段をその無線中継システム側に用意し、そのリセット手段を無線中継システムが接続されたネットワークに接続させる。このため、ネットワークを介して送信する信号により無線中継システムのリセットを遠隔で行うことができる。それにより、無線中継システムのリセットは容易、且つ迅速に行えることとなる。
【図面の簡単な説明】
【図１】本実施の形態による無線中継システムを採用したネットワークシステムの構成を示す図である。
【図２】本実施の形態による無線中継システムの回路構成図である。
【図３】他の実施の形態による無線中継システムの回路構成図である。
【符号の説明】
１０１　　ヘッドエンド装置
１０２　　ケーブルモデムセンター装置
１０３　　ＴＶ系センター装置
１０４　　ステイタスモニターセンター装置
１０６　　ルータ
１１０　　インターネット回線網
１５０　　伝送系
１５４　　増幅器
１５７　　タップオフ
２００　　無線中継システム
２０１　　分配器
２０２　　ケーブルモデム
２０４　　アクセスポイント
２０５　　キャリア検出部
２０６　　制御部
２１０　　電源部
３０１　　ステイタスモニターユニット
【図１】
2004015637.tif 000003
【図２】
2004015637.tif 000004
【図３】
2004015637.tif 000005